Podtech/llm-jp-corpus-v4-ja_patent huggingface dataset:
(57)【要約】【課題】一般のデジタルカメラで撮影した写真プリントを、手軽に立体画像で見れるとよい。特殊撮影した航空写真では、双眼凸レンズを用いて、立体画像を見るものがあるが、一般のアルバムでも、これを見れるようにした。【解決手段】２台のデジタルカメラを１台に合体させ、２眼のレンズで、人間の両眼のように、２方向から同時撮影をすることによって、簡単に立体画像を見ることが出来るようなデジタルカメラを作った。【選択図】図１
2007043632.tif 000002
【特許請求の範囲】
【請求項１】
２台のデジタルカメラを１台に合体させた装置。
すなわち、１台のカメラに２眼のレンズを装着し、シャッターや露出ピントやメディアカードなどは、２眼のレンズに同時同調させる。
【発明の詳細な説明】
【技術分野】
【０００１】１台のデジタルカメラで、同時に２方向から撮影できる２眼立体デジタルカメラを考案した。このとき、２眼のレンズの高さは水平であること。このため気泡水準器をつけ、被写体を同じ高さにするため、左右の液晶モニターを並べて配置した。
【背景技術】
【０００２】航空写真などでは、凸レンズを用いて立体的に見るものがあるが、一般のアルバムでは立体写真を見ることはできなっかた。これを２眼立体デジタルカメラで撮影しその写真プリントを立体的に見ることが出来る。
【注意事項】
【０００３】これを商品にする場合には、個人の眼の体質、条件などによって、立体的に見られない人も、おられますから、販売にあたっては、店頭にて体験確認することを明記すること。  また、使用説明書には顕微鏡や双眼鏡と同じように、眼の疲労に注意し長時間見つづけないこと、凸レンズが装着されている立体スコープを太陽光の当たる場所に放置しないこと、を明記すること。
【０００４】
【特許文献】
【発明の開示】
【発明の効果】
【０００５】（イ）ペット動物や野生動物やスポーツ選手の一瞬の貴重なポーズを立体画像として残すことができる。
（ロ）絵ハガキなどの雄大な風景、絶景を立体画像として撮影することができる。
（ハ）親の死後、生前にこのカメラで撮影してあれば、親の姿を立体画像で見ることができる。
（ニ）子供の記念写真アルバムとして立体画像で残すことができる。
（ホ）衣料ファション商品、流行デザイン商品、住宅関連商品、新型モデルの写真を立体画像として提供できる。
【実施例１】
【０００６】図３、で立体写真プリントの実施例を添付した。
【図面の簡単な説明】
【０００７】
【図１】本発明の正面図である。
【図２】本発明の背面図である。
【図３】本発明の実施例である。（実物添付）
【図４】航空写真などで使われる立体画像双眼スコープ（参照図）
【符号の説明】
【０００８】１    デジタルカメラ本体
２    右眼レンズ
３    左眼レンズ
４    シャッターボタン
５    遠近撮影距離同調スライド
６    ファインダー
７    フラッシュライト
８    気泡水準器
９    左眼液晶モニター
１０  右眼液晶モニター
１１  電源スイッチ
１２  各種メニューボタン
【図１】
2007043632.tif 000003
【図２】
2007043632.tif 000004
【図３】
2007043632.tif 000005
【図４】
2007043632.tif 000006
(57)【要約】      （修正有）【課題】多数のＭＯＳ−ＦＥＴを使用する既存の一時記憶回路の回路基板上の専有面積と動作電力における不利益を解消し、電子回路中に使用する素子数を削減した記憶素子の提供。【解決手段】電子演算回路の一時記憶のための電位信号保持に、交差ゲート型一時記憶素子を採用する。Ｎ−Ｐ−Ｎ−Ｐダイオードの、両端のＰ、Ｎ各半導体と導通するように、そして中間部のＰ、Ｎ各半導体と絶縁してゲート端子を接着した素子の、中間部のＰ半導体にｌｏｗ電位、Ｎ半導体にｈｉｇｈ電位を入力する配線を接続し、ゲート端子に入出力配線を接続する。【選択図】図２
2007043027.tif 000002
【特許請求の範囲】
【請求項１】
Ｐ−Ｎ−Ｐ−Ｎダイオードの、両端のＰ、Ｎ各半導体と導通するように、そして中間部のＰ、Ｎ各半導体と絶縁してゲート端子を接着した素子（以下、「交差ゲート型一時記憶素子」という。）の、中間部のＰ半導体にｌｏｗ電位、Ｎ半導体にｈｉｇｈ電位を入力する配線を接続し、ゲート端子に入出力配線を接続して、入力された信号電位を保持する、電子回路における一時記憶素子の機構。
【発明の詳細な説明】
【技術分野】電子回路素子の技術に関する。
【背景技術】
【０００１】ＭＯＳ−ＦＥＴを使用した、従来の主な電子デジタル回路で使用されるＳ−ＲＡＭの一時記憶の機構は、複数のＭＯＳ−ＦＥＴの組み合わせによって構成される。
【発明の開示】
【発明が解決しようとする課題】
【０００２】より多数のＭＯＳ−ＦＥＴを使用する一時記憶回路は、回路基板上の専有面積と動作電力において不利益がある。
【課題を解決するための手段】
【０００３】電子演算回路の一時記憶のための電位信号保持に、交差ゲート型一時記憶素子を採用する。
【発明の効果】
【０００４】交差ゲート型一時記憶素子は、電子演算回路の一時記憶のための電位信号保持を１個の素子で行うことができる。したがって、電子回路中に使用する素子数を削減できる。
【発明を実施するための最良の形態】
【０００５】図１のように、Ｐ−Ｎ−Ｐ−Ｎダイオードの、両端のＰ、Ｎ各半導体と導通するように、そして中間部のＰ、Ｎ各半導体と絶縁してゲート端子を接着して、交差ゲート型一時記憶素子を作成する。
【実施例】
【０００６】図２のように、中央部のＰ、Ｎ半導体をソース端子として使用し、それぞれｌｏｗ電位、ｈｉｇｈ電位を固定的に入力する。そして、両端のＰ、Ｎ半導体をドレイン端子として使用し、信号入出力配線に接続する。【０００７】図２の装置は、入力配線から信号電位ｈｉｇｈが入力されるとＮチャンネルゲートを生じてソース端子のＮ半導体から電位ｈｉｇｈが継続的に出力され、入力配線から信号電位ｌｏｗが入力されるとＰチャンネルゲートを生じてソース端子のＰ半導体から電位ｌｏｗが継続的に出力される。【０００８】当該装置は出力配線から異なる電位信号が逆流すると出力が不安定になりやすい構造であるので、出力先の配線をトランジスタに接続して使用する場合、ソース端子への出力を避け、ゲート端子への信号出力に限定されることが望ましい。
【図面の簡単な説明】
【図１】交差ゲート型一時記憶素子。
【図２】交差ゲート型一時記憶素子の使用実施例。
【図１】
2007043027.tif 000003
【図２】
2007043027.tif 000004
(57)【要約】【課題】  回転軸に対して垂直な回転板と固定板に、直方体を基とする形状で構成される偶数個の界磁と電機子を設けた、平面形回転機を提供する。【解決手段】  回転軸に対し垂直に設けられた回転板と固定板に、直方体を基とする形状で構成される偶数個の界磁と電機子を、界磁のＮ極とＳ極が交互となるように、設けることを特徴とする平面形回転機。【選択図】  図１
2007043879.tif 000002
【特許請求の範囲】
【請求項１】
回転軸に対し垂直に設けられた回転板と固定板に、直方体を基とする形状で構成される偶数個の界磁と電機子を、界磁のＮ極とＳ極が交互となるように、設けることを特徴とする平面形回転機。
【発明の詳細な説明】
【技術分野】
【０００１】  本発明は、回転軸に対して垂直な回転板と固定板に、直方体を基とする形状で構成される偶数個の界磁と電機子を設けた、平面形回転機に関するものである。
【背景技術】
【０００２】  従来、回転機の界磁と電機子は、回転軸を中心軸とする円柱面を側面に持つ扇形を基とする形状、又は円筒形を基とする形状で構成されていた。
【発明の開示】
【発明が解決しようとする課題】
【０００３】  それには次のような問題点があった。
円柱面を側面に持つ扇形を基とする形状、又は円筒形を基とする形状で構成される界磁と電機子は、形状が複雑なため、製作が難しい。
本発明は、以上の問題点を解決するためになされたものである。
【課題を解決するための手段】
【０００４】  回転軸に対し垂直に設けられた回転板と固定板に、直方体を基とする形状で構成される偶数個の界磁と電機子を、界磁のＮ極とＳ極が交互となるように、設ける。以上を特徴とする平面形回転機である。
【発明の効果】
【０００５】  直方体を基とする形状で構成される界磁と電機子は、形状が簡単なため、製作が易しい。
【発明を実施するための最良の形態】
【０００６】  以下、本発明の実施の形態について説明する。
（イ）回転軸（１）に対して垂直に、回転板（２）と固定板（３）を設ける。
（ロ）界磁（４）と電機子（５）は、直方体を基とする形状で構成され、共に偶数個である。
（ハ）界磁（４）は回転板（２）に、電機子（５）は固定板（３）に設ける。そのとき、界磁（４）と電機子（５）は、回転軸（１）からの垂直距離が等しくなるように、かつ、回転軸（１）の回りに等分となるように設ける。又、界磁（４）はＮ極とＳ極が交互となるように設ける。
本発明は、以上のような構成で、これを使用するときは、回転軸（１）を中心軸として、回転軸（１）と回転板（２）と界磁（４）を回転させれば、電機子（５）に交流電圧が発生するので発電機として使用すればいい。
また電機子（５）に交流電流を流せば、電機子（５）と界磁（４）の磁気作用により、回転軸（１）を中心軸として、回転軸（１）と回転板（２）と界磁（４）が回転するので電動機として使用すればいい。
【図面の簡単な説明】
【０００７】
【図１】本発明の正面図
【図２】本発明の平面図
【符号の説明】
【０００８】１  回転軸
２  回転板
３  固定板
４  界磁
５  電機子
【図１】
2007043879.tif 000003
【図２】
2007043879.tif 000004
(57)【要約】【課題】  衣料の所定の位置のしわを無くし、サインをしやすくするサイン用下敷きを提供する。【解決手段】本体（１）と上蓋（２）で衣料を挟み込み、しわをなくした状態を作り出すことを特徴とする。【選択図】    図２
2007015151.tif 000002
【特許請求の範囲】
【請求項１】
本体（１）と上蓋（２）で衣料を挟み込み、任意の場所へのサインを容易にするための下敷き。
【発明の詳細な説明】
【技術分野】
【０００１】
この発明は、衣料の上にサインを施すときにしわにならず、サインを容易にするサイン用下敷きに関するものである。
【背景技術】
【０００２】
従来、ユニフォーム等の衣料に選手等のサインをもらう場合は衣料の内側に下敷きを入れるか、あるいはテーブルや壁に押し付ける方法があった。
【発明の開示】
【発明が解決しようとする課題】
【０００３】
これには次のような欠点があった。
テーブルや壁、下敷きがないと綺麗にサインができない。
仮に普通に下敷きをしてもサインペンが衣料の表面のしわにひっかかりサインしにくい。
本発明は、以上の欠点を解決するためになされたものである。
【課題を解決するための手段】
【０００４】
本体（１）と上蓋（２）で衣服を挟み込み、衣料のしわをなくし、任意の場所へのサインを容易にする。
本発明は、以上の構成よりなる衣料のサイン用下敷きである。
【発明の効果】
【０００５】
本発明を使用することによって、サインしたい場所のしわを無くし、サインペン等の引っかかりをなくすことによりサインを容易にすることができる。
【発明を実施するための最良の形態】
【０００６】
以下、本発明の実施の形態を説明する。
平らな面と側面の凸部（３）から成る本体（１）をサインをしたい部分の内側に沿わせる。
側面内側に凹部溝（４）を持つ上蓋（２）を衣料の外側より本体に向かって押し込み、サインしたい部分の布地を固定する。
本発明は、以上の構成よりなっている。
本発明を使用するときは、本体（１）の凸部（３）と上蓋（２）の凹部溝（４）に衣料が挟み込まれると同時にしわが延ばされた状態となり、サインを容易に行うことが可能となる。
使用後は上蓋（２）を押さえながら、本体（１）を押し出すことにより、はずすことができる。
【図面の簡単な説明】
【０００７】
【図１】本発明の斜視図
【図２】本発明の使用状態を示す斜視図
【符号の説明】
【０００８】
１.本体
２.上蓋
３.凸部
４.凹部溝
【図１】
2007015151.tif 000003
【図２】
2007015151.tif 000004
(57)【要約】【課題】本発明は、本を見ながら両手を使って作業をする際に、開いたページを固定できる折り畳んで携帯しやすく考えられたブックホルダーを提供する。【解決手段】本の表紙をクリップで挟み、そのクリップの底面に付けたスライド式伸縮アーム付クリップによって、開いているページの縁を押さえて固定する。本を安定させるために、本の表紙を挟むクリップに長めの板を取り付ける。（本の表紙が薄い時にサポートするものとなる）【選択図】図１
2007015362.tif 000002
【特許請求の範囲】
【請求項１】
本の表紙をクリップで挟み、そのクリップの反対側の面に付けたスライド式伸縮アーム付クリップによって、開いているページの縁を押さえて固定するブックホルダー。
本を安定させるために、本の表紙を挟むクリップの挟む面に長めの板（本の背表紙に届くもの）を装着脱できる仕組み。
（板は、本の表紙が薄い場合に、安定した固定状態にできる。）
【請求項２】
壁面クリップとしてのスライド式伸縮アームクリップ付クリップ。
メモボードなどの縁を、クリップで挟んで固定して、反対側についているスライド式伸縮アームクリップで、ボード上に、メモ、書類、写真などを押さえておく用途の製品
【発明の詳細な説明】
【発明の詳細な説明】
【技術分野】
【０００１】この発明は、本の開いたページを固定しておくことのできる用具に関するものである。
【背景技術】
【０００２】従来より、本の開いたページを固定しておくことのできるブックホルダーは、平面に押さえ付けてページを固定するもの（譜面台など）が一般的で、平面分の用具が必要となるものであった。
【発明が解決しようとする課題】
【０００３】これは次のような欠点があった。
イ、平面分の用具のスペースを必要とするため、携帯する際には大きく感じた。
ロ、ページを固定する力が弱く、風でページがめくれてしまうことがあった。
ハ、本を平面上に立てる仕組みであるために、本を寝かせた状態で置きにくかった。
【課題を解決するための手段】
【０００４】本の表紙をクリップで挟み、そのクリップの反対側の面に付けたスライド式伸縮アーム付クリップによって、開いているページの縁を押さえて固定する方法を採用したことによって、携帯性がよくなり、ページを固定する力が強くなり、本を寝かせて置いておけるブックホルダーにする。
本発明は、以上の構成よりなる、スライド式伸縮アームクリップ付クリップ式ブックホルダーである。
【発明を実施するための最良の形態】
【０００５】以下、本発明の実施の形態を説明する。
（イ）本の表紙を挟むクリップ（１−２）に、本の背表紙に届く長さの板（１−３）を取り付けられるように、クリップの挟む面に台形型の溝（４−３）をつけて、板の隅のクリップで挟む面積分をその溝の空間の形にして、差し込んでクリップと装着脱できるようにする。
（ロ）本の表紙を挟むクリップの反対面に、スライド式伸縮アームクリップ（１−１）を取り付ける。アームをスライドさせる際に、ストッパーの役割と、アームがスムーズに動き過ぎないようにする役割の部品（３−２）をアームを収納する側の先端に設置する。
（ニ）アームをクリップにするために、バネを挟んで本の表紙を挟むクリップの反対面に取り付ける。
本発明は、以上の構成よりなっている。
本発明を使用する時は、クリップを使用する感覚で、本の開いたページしっかりと固定でき、携帯にも便利で、壁面クリップとしても使用できる。
【発明の効果】
【０００６】本発明を使用することによって、携帯に便利で、簡単に本の開いたページを固定し、平面に本を置いて固定することで、本にメモや覚え書きを書き込む際にも便利である。
【図面の簡単な説明】
【０００７】
【図１】本発明の外観図  １−１  スライド式伸縮アームクリップ  １−２  クリップ（本の表紙を挟むクリップ）  １−３  本を安定させるための背表紙に届く長さの板（差し込み式で装着脱できる）
【図２】本発明の側面図  携帯時のたたんだ状態と使用時のスライド式伸縮アームクリップを延ばして本のページをはさんだ状態図
【図３】本発明のスライド式伸縮アームクリップ部分の分解図  ３−１  スライド式伸縮アームのアーム部分  ３−２  伸縮アームをスライドさせる時のストッパーと弱いブレーキ作用のための金具。  ３−３  スライド式伸縮アームのアーム部分とアームを収納する台となるクリップ部分  ３−４  スライド式伸縮アームをクリップとして取り付ける台座部分の分解図  （  ＝本の表紙を挟むクリップの台座となる部分の分解図  ）
【図４】本発明のスライド式伸縮アームクリップ設置面の本の表紙を挟むクリップ部分の分解図  ４−１  スライド式伸縮アームクリップと本の表紙を挟むクリップを取り付ける台  ４−２  クリップにするためのバネ付の軸  ４−３  本の表紙を挟むクリップの動く部分
【図５】本の表紙を挟むクリップ部分に取り付ける板（本を固定する作用をするもの）
【図６】本発明の使用状態を示す斜視図
【図１】
2007015362.tif 000003
【図２】
2007015362.tif 000004
【図３】
2007015362.tif 000005
【図４】
2007015362.tif 000006
【図５】
2007015362.tif 000007
【図６】
2007015362.tif 000008
(57)【要約】【課題】使用時に邪魔にならない方法で、キャップとピルファープルーフリングを連結することにより、キャップの落下，紛失を防ぐことが可能なキャップを提供すること。【解決手段】（１）キャップ本体とピルファープルーフリングを、折り曲げ可能な連結部材で連結し、キャップ本体と連結部材はキャップ本体の側面下側で接続する。（２）連結部材は、部材の中央よりもピルファープルーフリングに近い位置と、キャップ本体の近傍，ピルファープルーフリングの近傍に折り曲げ構造を設けることで、キャップを閉じた時に連結部材が下に折れ曲がり容器に近接するように形成する。【選択図】      図１
2007015763.tif 000002
【特許請求の範囲】
【請求項１】
キャップ本体と、ピルファープルーフリングとを、少なくとも１つの折り曲げ構造を有する連結部材により連結したことを特徴とする、キャップ。
【請求項２】
前記連結部材は、部材の中央よりも前記ピルファープルーフリングに近い位置に折り曲げ構造を有することを特徴とする、請求項１記載のキャップ。
【請求項３】
前記連結部材は、前記キャップ本体の側面の中央より下側に接続することを特徴とする、請求項１記載のキャップ。
【発明の詳細な説明】
【技術分野】
【０００１】本発明は、ペットボトル等の容器に使用するキャップに関する。
【背景技術】
【０００２】近年各種の飲料はペットボトルと呼ばれる容器で販売されることが多くなっている。
ペットボトルはキャップにより封をするため、飲み残した場合も再度封をして保存したり、持ち歩いたりすることが容易である。【０００３】しかし誤ってキャップを落とす場合があり、紛失したり、特に屋外で落とした場合は衛生上の観点から再使用が困難になるため、キャップを落とすと前記の利便性が失われる。そのためキャップの落下を防ぐためのキャップホルダとして、特許文献１が公開されている。
【特許文献１】特開２０００−２３８８３１号公報
【０００４】また、キャップとピルファープルーフリングとを結合させることで、キャップの落下を防ぐ方法として特許文献２が公開されている。
【特許文献２】特開２００２−１５４５７２号公報
【発明の開示】
【発明が解決しようとする課題】
【０００５】しかし、特許文献１のように容器に取り付けて使用するキャップホルダは、飲料を買った時にその都度キャップホルダを装着し、飲み終わった後は容器から取り外す必要があるため面倒である。
また、キャップホルダ自体を予め用意しておく必要があり、例えば外出先で飲料を購入した場合は、キャップホルダを所有していてもその時キャップホルダを持ち合わせてなければ使用できないため、不便である。【０００６】特許文献２に示されているキャップは、連結帯によりキャップとピルファープルーフリングを結合するものであるが、キャップを開閉する際はピルファープルーフリングがスムーズに回動する必要があり、そのためには連結帯の幅を広げる，材質を固くする，厚みを持たせるなどしてよじれにくくする必要がある。
しかし連結帯はキャップ上端外周につながっているため連結帯の幅を広げると、キャップを開閉する際にキャップを少しひねる毎に、連結帯をよけてキャップを掴み直さなければならなくなるため邪魔である。
また連結帯の材質を固くしたり厚みを持たせたりすると剛性が増し、キャップを閉めた状態ではピルファープルーフリングが容器に押さえつけられて摩擦が大きくなるため、かえって回動しづらくなる。【０００７】本発明が解決しようとする課題は、使用時に邪魔にならない方法で、キャップとピルファープルーフリングを連結することにより、キャップの落下，紛失を防ぐことが可能なキャップを提供することである。
【課題を解決するための手段】
【０００８】本発明は前記の課題を解決するために、
（１）キャップ本体とピルファープルーフリングを、折り曲げ可能な連結部材で連結し、キャップ本体と連結部材はキャップ本体の側面下側で接続する。
（２）連結部材は、部材の中央よりもピルファープルーフリングに近い位置と、キャップ本体の近傍，ピルファープルーフリングの近傍に折り曲げ構造を設けることで、キャップを閉じた時に連結部材が下に折れ曲がり容器に近接するように形成する。
これにより、使用時に邪魔にならずキャップの落下，紛失を防ぐキャップを提供する。
【発明の効果】
【０００９】本発明により、キャップの落下，紛失の予防を施したキャップが提供可能となり、しかもキャップの開閉時や持ち運び・保管の際に邪魔にならないため、飲料を飲む際はキャップを落とす心配をすることなく飲料を飲むことができる。
また、本キャップを装着した状態で飲料の販売は、輸送に使用する梱包箱や店舗での陳列スペースを変更する必要はなく、自動販売機での販売にも支障がない。
【発明を実施するための最良の形態】
【００１０】以下、本発明の実施例について説明する。
本キャップは、キャップ本体１とピルファープルーフリング２を、折り曲げ構造４ａ，４ｂ，４ｃを有する連結部材３ａ，３ｂ，３ｃ，３ｄにより連結したもので、材質は合成樹脂が使用可能である。【００１１】折り曲げ構造４ｂは、連結部材３ａ，３ｂ，３ｃ，３ｄの中央よりもピルファープルーフリング２に近い位置に設けて連結部材３ａ，３ｂよりも連結部材３ｃ，３ｄを長くし、折り曲げ構造４ａはピルファープルーフリング２の近傍、折り曲げ構造４ｃはキャップ本体１の近傍に設ける。これにより連結部材３ａ，３ｂ，３ｃ，３ｄはキャップを閉めた時は下向きに折れ曲がり容器に近接するため、持ち運びや保管する際に邪魔にならない。【００１２】キャップを開けた時は、折り曲げ構造４ａ，４ｂ，４ｃがあるためキャップは支持されず容器にぶら下がった状態になる。このため開栓時はキャップが邪魔にならないように押さえる必要はなく、容器を持つ際にキャップ本体１または連結部材３ａ，３ｂ，３ｃ，３ｄを一緒に掴むことで、容器を傾けた際にキャップが下に垂れて顔等に触れるのを防げる。【００１３】連結部材３ｄはキャップ本体１の側面下側で接続し、連結部材３ａをピルファープルーフリング２の側面で接続する。これによりキャップを掴む際に邪魔にならず、良好にキャップを開閉できる。【００１４】キャップ本体１と連結部材３ｄの接続、およびピルファープルーフリング２と連結部材３ａの接続は、一体形成により予め接続された状態に形成するのが望ましいが、別々に形成したものを接着，融着あるいは嵌合させるべく形成したものを嵌合させて接続してもよい。【００１５】なお本キャップを更に改良するために、容器から本キャップを分離するための切り離し用溝をピルファープルーフリング２に形成してもよい。
ピルファープルーフリング２の、連結部材３ａが接続される箇所近くに、縦に切り離し用溝を形成することで、連結部材３ａ，３ｂ，３ｃ，３ｄをピルファープルーフリング２付近で掴んで、ひねりながら引っ張ることで切り離し用溝に切れ目を生じさせ、容易に本キャップを容器から除去できる。
【図面の簡単な説明】
【図１】本キャップを容器に装着しキャップを閉めた状態を示す側面図である。
【図２】本キャップを容器に装着しキャップを開けた状態を示す側面図である。
【符号の説明】
１  キャップ本体
２  ピルファープルーフリング
３ａ，３ｂ，３ｃ，３ｄ  連結部材
４ａ，４ｂ，４ｃ  折り曲げ構造
５  容器
６  注出口
【図１】
2007015763.tif 000003
【図２】
2007015763.tif 000004
(57)【要約】      （修正有）【課題】  ペットボトルのキャップは開封後ボトル本体とキャップに別れキャップの紛失、又両手が塞がるなどの不便を解消し、並びにラベルがメーカー等の商品ネームだけを印刷掲載されており、身近な広告媒体として使用することが出来るペットボトルキャップの提供。【解決手段】  ペットボトル本体１とキャップ２を連結部品５で連結し、この連結部を本体に固定する事によって飲み口にキャップが垂れ下がることは無い、又商品名ラベル部分１０に地図等の地域の情報を掲載する事によって地域広告媒体としての使用用途が可能である。【選択図】    図１ａ
2007015758.tif 000002
【特許請求の範囲】
【請求項１】
ペットボトルのキャップにボトル本体とキャップを繋ぐ連結装置。
【請求項２】
ペットボトルとキャップの連結装置を引っ掛けキャップの垂れ下がりを防ぐ装置。
【請求項３】
ペットボトルの側面ラベルに身近な広告を掲載するペットボトル。
【発明の詳細な説明】
【技術分野】
【０００１】本発明はペットボトルのキャップをボトル本体に留める事によってキャップの紛失、又片手で飲めるようにしたキャップ留め装置と、本体ラベルに地域の名所及び地図、又会議等の主催者が意図する事をラベルに記載する、広告媒体とするペットボトルラベル。
【背景技術】
【０００２】従来ペットボトルのキャップは開封した時ペットボトル本体と分離される構造になっている。ペットボトルは飲料水の量が多く１回では飲みきれず片手にキャップを持っている事が多い。又本体ラベルに付いてはペットボトル本体にメーカーの飲料水名等がラベルフィルムとして貼られている。
【発明の開示】
【発明が解決しようとする課題】
【０００３】発明が解決しようとする課題はペットボトルのキャップの落下、及び紛失の防止、又ラベルフィルムの地域広告媒体としたペットボトルラベル。【０００４】そこで本発明の目的はペットボトルのキャップがペットボトル本体に連結され開封後ボトル本体に留められ落下しない。又ラベルはラベルフィルムに地域の情報を印刷し身近な広告媒体として使用する。又ラベルはステッカーに印刷並びに書き込み等、ラベルフィルムを使用しなくても、ボトル本体に接着使用できる形態にする。
【課題を解決するための手段】
【０００５】前記目的を達成して課題を達成するため本発明に係るペットボトルキャップ留め及び広告ラベルは。キャップ上部に本体ボトルと連結される突起が形成され、この突起に本体ボトル首部分から伸びているキャップ留めが装着される、これにより飲み口からキャップを外しても落下しない、このキャップはキャップ留めがボトル本体に形成されている留め部に止められ、ボトルを傾けても飲み口に垂れ下がることは無い。又ラベルは一般的にメーカーが商品のネームを入れ流通されているが、このラベルに地域の情報を印刷し、身近な地域情報媒体として使用する。
【発明の効果】
【０００６】ペットボトルのキャップは開封後ボトル本体とキャップに切り離されキャップが落下及び紛失する事がある。又一般的に右手にボトル、左手にキャップと両手が塞がる傾向が有り、観光地等でよく見かける事がある。本発明の効果はキャップとボトル本体を連結する事によって、落下並びに紛失等の不便さを解決する物である。又地域情報媒体としてペットボトルのラベルに身近な観光情報や地図等の地域限定媒体としての使用が出来る。
【発明を実施するための最良の形態】
【０００７】      以下、添付図面に基づいて本発明の実施例を説明する。
図１ａは、本発明に係るペットボトルキャップ留め及び広告ラベル装置の一例を示す物である。このペットボトル装置は樹脂で形成し１のペットボトル本体に内部の飲料水を２のキャップで封入している。２のキャップには３の突起が有り、この突起に２のキャップと本体１を連結する５の連結装置が取り付く、２のキャップは開封後５の連結装置により１の本体から離れる事は無い。【０００８】１のボトル本体には、５の連結装置を引っ掛ける８が付いており開封後８に引っ掛ける。２のキャップは８の引っ掛け装置によって固定される。【０００９】又８の引っ掛け装置は簡単に５の連結装置を外すことが出来、再度キャップで蓋をする事が出来る。【００１０】１０のラベルは１の本体に張り付け、もしくはフィルムにて巻きつける、この１０のラベルには地図等の地域情報を印刷又は書き込む。
【実施例】
【００１１】図１ｂは本発明に使用する２のキャップと連結部５の拡大斜視図ある。【００１２】５の連結リング部がペットボトル本体１に付いているキャップ封印部４と一体構造と成っており、５の上部がキャップをねじる事により切り離される。キャップ２の上部に連結部５が取り付く連結止め３が形成されており、２のキャップをねじっても５と３の連結部の遊びによって５がねじれる事は無い。
【産業上の利用可能性】
【００１３】以上説明したように本発明に係るペットボトルキャップ留め及び広告ラベル装置は、キャップとボトルの連結装置によってキャップの落下防止、又ラベルステッカー並びにラベルフィルムの使用によって、地域密着の広告媒体として身近な広告が掲載出来るペットボトルである。
【図面の簡単な説明】
【００１４】
【図１ａ】本発明に係るペットボトルキャップ留め及び広告ラベル装置の一例を示す斜視図である。
【図１ｂ】本発明に係るペットボトルキャップ留め及び広告ラベル装置のキャップの一例を示す拡大斜視図である。
【符号の説明】
【００１５】１    ペットボトル本体
２    キャップ
３    キャップ連結突起部
４    キャップ封印部
５    キャップ連結部
８    キャップ引っ掛け連結止め部
１０  ラベル
【図１ａ】
2007015758.tif 000003
【図１ｂ】
2007015758.tif 000004
(57)【要約】【課題】    道路など外部騒音からの回避と冷暖房の外部との断熱、更に窓ガラスの結露を防止するための、レトロフィット可能な自在裁断真空２重ガラスを提供する。【解決手段】板ガラスを単層・複層一体型二重構造とし、空隙部を減圧真空にし、単層板ガラス周辺部を採寸切り取り代とすることで、美観及び建築設計自由度を損なうことなく結露しにくい、遮音・断熱機能有するレトロフィット適応可能な自在裁断真空２重ガラスとする。  ガラスは金網を入れたもの或いは曇りガラスでも多用途に適用することが出来る。これにより従来マンションでは共有部分の侵害と言う制約から、二重窓に改造出来なかったものが既存の窓を簡単に遮音・断熱・結露防止二重窓としてレトロフィットすることが可能となる。【選択図】  図１
2007015908.tif 000002
【特許請求の範囲】
【請求項１】
基盤板ガラスの上に基盤板ガラスより小さいリブガラス枠を設け、リブガラス枠内に一定間隔でスペーサーガラスロッドを基盤板ガラス上に配置し、リブガラス外周と同一サイズの天板ガラスを載せて１体型２重ガラス構造とし、天板ガラスに設けられた開口部より２重ガラス空隙部を減圧真空にすることにより、基盤板ガラス周辺部を自在裁断可能な真空２重ガラスとなすことを特徴とする自在裁断真空２重ガラス。
【発明の詳細な説明】
【技術分野】
【０００１】  本発明は、窓ガラスに断熱効果、遮音効果及び難結露性を持たせ、且つ、窓枠に自在に嵌合出来るよう、切断可能面を持たせることを目的として、板ガラスの中央部を２層構造、周辺部を単層とし、２層部を真空にした自在裁断真空２重ガラスに関するものである。
【背景技術】
【０００２】  従来、窓枠を複合させ、空隙部を減圧させた２重ガラス窓があった。また複層ガラスとし空隙部を真空にしたものがあったが、自在形状に切断することが出来ない欠点があった。
【発明の開示】
【発明が解決しようとする課題】
【０００３】  そのために、次のような問題点があった。
窓に断熱・遮音・結露防止効果を持たせるために、２重窓枠として空隙部を真空にしたものは、余分なスペースを取られ、建築設計の自由度を奪われ、真空保持のためのメンテナンスを要求され、マンションなどでは共有部分の侵害問題からレトロフィットすることが出来なかった。
また従来の複層真空ガラスは、自在カットが出来ないため、使用部位のサッシ枠サイズ専用に事前加工しなければならず、高いコストを強いられていた。
本発明は以上の問題点を解決しようとするものである。
【課題を解決するための手段】
【０００４】  空隙部を真空にした２層・単層一体構造板ガラスであれば、施工現場で対象窓枠に合わせて採寸切断の上、既存のガラス窓を簡便に２重ガラス窓にレトロフィット出来、マンション共有部分の侵害問題は起こらない。以上を特徴とする自在裁断真空２重ガラスである。
【発明の効果】
【０００５】  本発明は、既存の普通窓サッシガラスを、マンションなどでの共有部分を侵害することなく、ガラスを交換するだけで、簡便に真空２重ガラスにレトロフィットすることが出来る、自在裁断真空２重ガラスである。したがって、２重窓ガラスへの改造のために、窓枠の改造を行ったり、メーカー工場で専用のガラスを製作し、特殊冶具を取り付けたりする必要がなくなる。また真空層はガラスシールされているため、真空保持のためのシール交換、真空引きなどの保守作業は不要となり、真空度保持性能も大幅に改善することが出来る。
【発明を実施するための最良の形態】
【０００６】  以下、本発明の実施の形態を説明する。
（イ）サッシ嵌合部となる基盤板ガラス（１）に融点の異なるリブガラス（３）と真空時ガラス耐力保持のためのスペーサーロッドガラス（４）を一定間隔で配置する。
（ロ）リブガラス（３）と同一サイズの基盤板ガラス（１）と同一融点を持つ天板ガラス（２）をリブガラス（３）に被せる。
（ハ）天板ガラスには、予め平面の１箇所に封印ホール（６）を設ける。
（ニ）リブガラス（３）及びスペーサーロッドガラス（４）の融点を超える雰囲気温度に晒し、基盤板ガラス（１）、天板ガラス（２）と接着し、２層・単層一体構造と成す。
（ホ）封印ホール（６）の口より減圧、２層部空隙（５）を真空とし、封印ホール（６）を封印真空シールする。
（ヘ）基盤板ガラス（１）の単層部は裁断可能部位（７）を形成する。
本発明は、以上の構成より成っている。
本発明を、標準窓サッシ（８）のサイズに裁断し、嵌め込み、使用することにより、外部騒音を遮音し、熱放散を抑え、結露し難い窓に転換出来、大変経済効果の高い省エネルギー建築部材となる。
本発明の２層部空隙（５）を真空にする代わりに、希ガスなどで空気と置換することが出来る。この場合、スペーサーロッドガラス（４）を削除することも出来る。
【図面の簡単な説明】
【０００７】
【図１】        本発明の斜視図
【図２】        本発明のＡ−Ａ部断面図
【図３】        本発明のサッシ組み込みと基盤板ガラス裁断部イメージ図
【符号の説明】
【０００８】    １          基盤板ガラス
２          天板ガラス
３          リブガラス
４          スペーサロッドガラス
５          ２層部空隙
６          封印ホール
７          裁断可能部位
８          サッシフレーム
【図１】
2007015908.tif 000003
【図２】
2007015908.tif 000004
【図３】
2007015908.tif 000005
(57)【要約】      （修正有）【課題】ガラスのシーリング部を無鉛合金ハンダでシーリングを行なう、ペアーガラス、ブラウン管、真空容器又はガス封印容器を製作する技術分野に関し、ガラス等の接着に無鉛金属を使用する有効な接着方法を提供する。【解決手段】成分及び含有量が亜鉛９４〜６２％、錫３１〜１５％、アルミニウム３〜６％、銀０．５〜１％の無鉛合金ハンダ３を提供する。ガラス１，２を重ね合わせ、３２０〜３６０℃まで加熱、前記ハンダを用いてシーリングし、ガラス容器を製作できる。【選択図】図１
2007015012.tif 000002
【特許請求の範囲】
【請求項１】
亜鉛−錫−アルミニウム−銀を主成分とする無鉛合金ハンダ。
【発明の詳細な説明】
【技術分野】
【０００１】本発明は、ガラスのシーリング部を無鉛合金ハンダでシーリングを行う、ペアーガラス、ブラウン管、真空容器又はガス封印容器を製作する技術分野に関するものである。
【背景技術】
【０００２】従来の技術において、３８０℃付近での接着及びシーリングは、鉛を使用したハンダ又は鉛・ガラスフリットが主流であったが環境問題により鉛の使用ができなくなってきている。
又、市販されている無鉛ハンダ及びロー材、「ＪＩＳハンドブック▲３▼非鉄」に掲載されている各種のロー材及びブレイジングシート等において４００℃以下で溶解し、密着性がよく、ガラスとロー材の熱膨張係数の差によりガラスが収縮割れをおこさないで接着できる材料はない。【０００３】最近では金属材料として金属シール材にインジウムが使用されるようになった。しかし資源が乏しく高価なために使用が限られている。【０００４】金属材料に変わるものとして樹脂を使用して接着やシールをする方法が開発されつつあるが、シールに用いると乾燥過程に於いてガス及び水分が発生し，信頼性の高い金属によるシールに代わるには至っていない。
【発明の開示】
【発明が解決しようとする課題】
【０００５】ａ．環境問題になっている鉛を含んだハンダ及び鉛フリットの使用が困難になってきているがガラス等の接着に使用できる無鉛金属材料及び有効な接着方法が開発されていない。
ｂ．有機系接着剤を用いた接着では水分などの発生により電子部品に不具合が発生する。
以上のような欠点を解決し、金属材料を使用しガラスの接着を可能にするために本発明をした。
【問題を解決するための手段】
【０００６】ガラスのシーリング部に無鉛合金ハンダを用いることによりガラスを直接ハンダ付けできる素材を発明した。
化学成分及び含有量が下表に示したことを特徴とする無鉛合金ハンダである。
表１
亜鉛          ９４〜６２重量％
錫            ３１〜１５重量％
アルミニウム  ３〜６重量％
銀            ０．５〜１重量％
その他        残
上記の表に於いて、亜鉛の含有量が増すと密着力と溶解温度が低くなり、含有量が減少すると冷却時の収縮が大きくなりガラスシール面の破損原因となる。錫は亜鉛とアルミニウムに３１〜１５重量％の範囲で配合することにより熱膨張係数の緩和及び溶融温度の引き下げに良い結果がでている。アルミニウムの含有量が増すと冷却時の収縮が大きくなりガラスシール面の破損原因となる、含有量が減少するとガラスとの密着力が低下する。銀の含有量は、濡れ性に影響する。
上記の配合範囲がガラスとのシーリングに対して良い結果を示している。
【０００７】二枚のガラスを重ね合わせ、３２０〜３６０℃まで加熱、ガラスのシーリング部に無鉛合金ハンダを用い接着及び密閉したガラス容器。
【発明の効果】
【０００８】ガラスのシーリング部に無鉛合金ハンダを行うため、３２０〜３６０℃まで加熱しハンダを行うことで、
ａ．ハンダによる無鉛金属で、ガラスの接着ができるようになったので環境問題が解決した。
ｂ．有機系接着剤やシリコン系接着剤を使用する必要が無くなったので水分や気泡による不具合が解決した。
【発明を実施するための最良の形態】
【０００９】図１は発明を実施するための最良の形態を示す断面図である。
二枚のガラス（１，２）を重ね合わせ、ガラスのシーリング部に無鉛合金ハンダを行うため、３２０〜３６０℃まで加熱する。この温度範囲以外でもよいが温度が低すぎるとハンダが溶けにくく、逆に高すぎると材料の酸化や気泡の発生原因となる。
無鉛合金ハンダを用いハンダ（３）付けする。
接着厚さは２００ミクロンまでである。
漏れは、ヘリウムガスリーク試験機により０．０×１０−１０Ｐａ・ｍ３／ｓが確認されている。
【図面の簡単な説明】
【００１０】
【図１】発明を実施するための最良の形態を示す断面図である。
【符号の説明】
【００１１】１，２    ガラス
３        無鉛合金ハンダ
【図１】
2007015012.tif 000003
(57)【要約】【課題】  荷物の運搬範囲が狭かった手動荷物運搬車を。早く広い範囲に身近な荷物を自転車、モーターバイク等ではちょと嵩張って積めないような荷物を積んでコンパクトで場所も余りいらず燃料資源も余り使はず荷物運搬を身近にして便利にする。【解決手段】  自転車、モーターバイク等で連結して荷物運搬する場合い運転を妨げないように連結装置に図４のバネ３が作用するようにＡとＢのバネ固定ボルトでバネ３の両端を固定する。バネ３の中にストッパ回転軸２を運搬車の動きにあはせて回転と前後運動をするようにストッパ軸として設け連結部１Ｂを先端に取りつけて図１のバイク側に連結フック１Ａを取りつけその連結フック１Ａに連結部１Ｂを上から連結して抜けないように連結フック１Ａの上にピンをさして安定送行ができる。【選択図】      図１
2007015674.tif 000002
【特許請求の範囲】
【請求項１】
バネをつかった安定送行連結装置を人間動力荷物運搬車に取りつけて自転車又はエンジン動力つき二輪車に連結して荷物を運搬送行ができるようにした人間動力荷物運搬車。
【発明の詳細な説明】
【技術分野】
【０００１】本発明は、手動運搬車の先端にスプリングを利用して安定送行ができる連結装置を取りつけたものである。
【背景技術】
【０００２】従来、手動荷物運搬車は手動を前提としていたため道路条件などのもんだいで買い物など路上での荷物運搬が困難であった。
【発明の開示】
【発明が解決しよぅとする課題】
従来い自転車、モーターバイク等で荷物を積んで運搬のさい荷台が小さくて思う用に荷物を積めなく講造状荷物を余り積むことはできない重心がとれず安定送行が難しく荷物運搬には不適当である。しかし荷物運搬しても路上安定送行が出来れば荷物運搬に適した物も昨今必要かと思はれる。
【課題を解決するための手段】
従来の手動荷物運搬軍と自転車と、モーターバイクの機能を生して、本発明の、安定送行連結装置おつかって連結して路上を荷物運搬をすれば、路上安全送行となり、より身近な手動荷物運搬車となりえる。
【発明の効果】
【０００３】このようにすれば、手動荷物運搬車の先端に安定送行連結装置をとりつけて自転車モーターバイク等に連結して荷物を運搬すれば何処えでも身近な荷物を運搬できて災害時、買い物、アウトドアのテント寝袋などちょと嵩張る荷物など積んで運搬ができ、燃料資源も余りかからず、場所も余り取らずコンパクトで手動でも連結でも荷物運搬が可能で便利である。
【発明を実施するための最良の形態】
【０００４】本発明わ、手動運搬車を自転車、モーターバイク等で路上を安定送行で荷物運搬が可能になり、コンパクトで簡単に安定送行連結が可能で、それを図面について説明すれば、
【図４】
の連結装置にバネ３を固定ナットＡとＢで固定して取りつけ中にストッパ回転軸２を取りつけて、先端に連結部１Ｂを取りつけた物である。
【実施例１】
【図１】
バイク側の後ろに連結フック１Ａを低位置に固定して取りつけフック１Ａに連結部１Ｂを上から差し込んでぬけないように連結フック１Ａにピンをさし連結完了。
【実施例２】
【図１】
バイクで手動運搬車を連結送行のさい左右のカーブのさいバイクが左右に傾いてもバネ３の作用により無理なくカーブを曲がる事が可能であり、かつカーブを曲がるさいバネ３の作用で遠心力を押さえ安定送行が出来るものである。
【実施例３】バネ３とストッパ回転軸２の作用により連結角度により空の手動運搬車を連結送行ちう路上の凸凹での跳ねを減少して安定送行が出来るものである。
【図面の簡単な説明】
【０００５】
【図１】  使用側面図である。
【図２】  手動荷物運搬車の前面図である。
【図３】  手動荷物運搬車の背面図である。
【図４】  安定送行連結装置の側面図である。
【図５】  安定送行連結装置の平面図である。
【符号の説明】
１    連結フック１Ａ連結部１Ｂ
２    ストッパ回転軸
３    バネ
４    ハンドルレバー
５    荷台
６    前輪
７    後輪
８    ランプ
９    ハンドルレバー固定具
１０  ハンドル支えパイプ
１１  ブレーキレバー
Ａ    バネ固定ボルト
Ｂ    バネ固定ボルト
【図１】
2007015674.tif 000003
【図２】
2007015674.tif 000004
【図３】
2007015674.tif 000005
【図４】
2007015674.tif 000006
【図５】
2007015674.tif 000007
(57)【要約】【課題】  ＥＯＦにて印刷が停止していることを認識した場合、ユーザがＮＰＲＯを実行して印刷を完了させる必要があり、ユーザが手間を要していた。【解決手段】  連続紙に印刷を行う連続紙プリンタを複数台接続して、同一用紙に、両面印刷、カラー印刷等を行う印刷システムにおいて、用紙無しのエラー発生時に、１台目は印刷を伴わない印刷紙送り、２台目は１台目で印刷された部分に該当するページのみを印刷して印刷用紙を排出する機能を自動で実行することを特徴とする。【選択図】  図１
2007015281.tif 000002
【特許請求の範囲】
【請求項１】
連続紙に印刷を行う連続紙プリンタを複数台接続して、同一用紙に、両面印刷、カラー印刷等を行う印刷システムにおいて、印刷用紙無しのエラー発生時に、１台目は印刷を伴わない印刷紙送り、２台目は１台目で印刷された部分に該当するページのみを印刷して印刷用紙を排出する機能を自動で実行することを特徴とする連続紙プリンタの印刷用紙送り制御方式。
【発明の詳細な説明】
【技術分野】
【０００１】
本発明は、連続紙に印刷を行う連続紙プリンタを複数台接続して、同一用紙に、両面印刷、カラー印刷等を行う印刷システムにおける印刷用紙送り制御方式に関するものである。
【背景技術】
【０００２】
連続紙プリンタを２台接続して、同一用紙に印刷を行う印刷システムに関して、以下、図２を用いて説明する。図２は、連続プリンタを２台接続した印刷システムの概略構成を示す。
【０００３】
印刷システムは、連続紙プリンタ２０１と連続紙プリンタ２０２と、プリンタ制御装置２０３により構成され、プリンタ制御装置２０３は、連続紙プリンタ２０１とのインターフェイス信号線２０４、及び、連続紙プリンタ２０２とのインターフェイス信号線２０５により、連続紙プリンタ２０１、及び、連続紙プリンタ２０２を制御する。連続紙プリンタ２０１に印刷用紙２０６がセットされており、印刷は、まず、連続紙プリンタ２０１にて行い、次に、連続紙プリンタ２０２にて行われる。例えば、連続紙プリンタ２０１と連続紙プリンタ２０２の間で印刷用紙２０６を反転させれば、両面印刷が、また、連続紙プリンタ２０１と連続紙プリンタ２０２が使用するトナーの色を変えれば、２色印刷が可能な印刷システムとなる。
【０００４】
【特許文献１】特開平０７−２３７３３６号公報
【０００５】
【特許文献２】特許第３５０４９２６号明細書
【０００６】
【特許文献３】特開２００３−２６６８２５号公報
【発明の開示】
【発明が解決しようとする課題】
【０００７】
上記した印刷システムにおいて、最初に印刷を行う連続紙プリンタにて印刷用紙無し（以下、ＥＯＦと称す）を検出すると、印刷用紙送りを停止して印刷をストップする。しかし、２台目の連続紙プリンタにて印刷を行わないと最終印刷物として成立しない。したがって、ユーザは、ＥＯＦにて印刷が停止していることを認識すると、１台目は印刷を伴わない印刷紙送り、２台目は１台目にて印刷された部分に該当するページのみを印刷して印刷用紙を排出する機能（以下、ＮＰＲＯと称す）を実行して印刷を完了させ、排出された印刷用紙を取得する。その後、新しい印刷用紙をロードし、印刷を再開するという、ユーザの手間を要していた。
【０００８】
本発明は、ＥＯＦ発生時のユーザの介入を軽減することにある。
【課題を解決するための手段】
【０００９】
本発明は、ＥＯＦ発生時に自動でＮＰＲＯを実行することを最も主要な特徴とする。
【発明の効果】
【００１０】
本発明による印刷用紙制御方式では、ＥＯＦ発生時に必要であったＮＰＲＯをユーザが実行することなく自動で行うため、ユーザの介入を分軽減できる。
【発明を実施するための最良の形態】
【００１１】
以下に、本発明の実施例を図面に基づいて説明する。
【実施例１】
【００１２】
図１は、図２で説明した２台の連続紙プリンタを接続した印刷システムにおけるプリンタ制御装置の印刷動作フローを示す。尚、本実施例では、ＥＯＦはエラーの１つとして認識される。
【００１３】
印刷が開始されると、エラー発生の判別（１０１）、印刷データありの判別（１０２）を行い、エラー発生が無く（１０１）、印刷データがあれば（１０２）、１台目と２台目の印刷の実行（１０３）を続ける。印刷データがなくなれば（１０２）、１台目と２台目の印刷を停止し（１０４）、処理を終了する。また、エラー発生があれば（１０１）、１台目と２台目の印刷を停止し（１０５）、発生したエラーが１台目のＥＯＦでなければ（１０６）、エラー処理（１０７）を行い、処理を終了する。発生したエラーが１台目のＥＯＦであれば（１０６）、１台目は印刷を伴わない紙送り、２台目は１台目で印刷された部分に該当するページの印刷を実行（１０８）、エラー発生の判別（１０９）を行い、エラー発生がある（１０９）まで（１台目でＥＯＦが発生しているので、２台目のＥＯＦが必ず発生する）、処理（１０８）を続ける。ここで、エラー発生があれば（１０９）、１台目の印刷を伴わない紙送りを行って２台目の印刷をそれぞれ停止し（１１０）、発生したエラーが２台目のＥＯＦでなければ（１１１）、エラー処理（１０７）を行い、処理を終了する。発生したエラーが２台目のＥＯＦであれば（１１１）、２台目の印刷を伴わない紙送り（１１２）を実行し、エラー発生が無く（１１３）、印刷を伴わない紙送りが完了（１１４）すれば、処理を終了し、エラー発生があれば（１１３）、エラー処理（１０７）を行い、処理を終了する。
【産業上の利用可能性】
【００１４】
連続紙プリンタに限らず、プリンタを複数台接続して印刷を行うすべての印刷装置に適用できる。
【図面の簡単な説明】
【００１５】
【図１】本発明の一実施例である連続紙プリンタの印刷用紙送り制御方式を示す説明図である。（実施例１）
【図２】従来技術を示した説明図である。
【符号の説明】
【００１６】
１０１  エラー発生の判別
１０２  印刷データありの判別
１０３  １台目と２台目の印刷実行処理
１０４  １台目と２台目の印刷停止処理
１０５  １台目と２台目の印刷停止処理
１０６  １台目のＥＯＦ発生の判別
１０７  エラー処理
１０８  １台目は印刷を伴わない紙送り２台目は印刷を実行する処理
１０９  エラー発生の判別
１０１台目の印刷を伴わない紙送り２台目の印刷をそれぞれ停止する処理
１１１  ２台目のＥＯＦ発生の判別
１１２  ２台目は印刷を伴わない紙送りを実行する処理
１１３  エラー発生の判別
１１４  ２台目の印刷を伴わない紙送り完了を判別
２０１  連続紙プリンタ
２０２  連続紙プリンタ
２０３  プリンタ制御装置
２０４  インターフェイス信号線
２０５  インターフェイス信号線
２０６  印刷用紙
【図１】
2007015281.tif 000003
【図２】
2007015281.tif 000004